(57)【要約】      （修正有）【課題】湿潤状態及び乾燥状態の双方において、使い勝手や肌触りがよく、多用途に使用することのできる使い捨て清拭用物品を提供する。【解決手段】所定の厚さを有するシート状の脱脂綿３を不織布製の透液性シート２で巻装し、その重合部及び両端部２ａ，２ｂを固着するとともに、脱脂綿３と透液性シート２をホットメルト接着剤４で相互に固着してなる使い捨て清拭用物品を基本として提供する。また、脱脂綿３を巻装した透液性シート２の重合部を固着するとともに、透液性シート２の両端部２ａ，２ｂに脱脂綿３を介在させ、両端部２ａ，２ｂにおける脱脂綿３と透液性シート２をホットメルト接着剤４で相互に固着する。【選択図】図３
0003166046.tif 000002
【実用新案登録請求の範囲】
【請求項１】
所定の厚さを有するシート状の脱脂綿を不織布製の透液性シートで巻装し、その開放端部を固着するとともに、脱脂綿と透液性シートをホットメルト接着剤で相互に固着してなることを特徴とする使い捨て清拭用物品。
【請求項２】
脱脂綿を巻装した透液性シートの重合部及び両端部を固着する請求項１記載の使い捨て清拭用物品。
【請求項３】
脱脂綿を巻装した透液性シートの重合部を固着するとともに、透液性シートの両端部に脱脂綿を介在させ、両端部における脱脂綿と透液性シートをホットメルト接着剤で相互に固着してなる請求項１記載の使い捨て清拭用物品。
【請求項４】
脱脂綿の上下両面と透液性シートをホットメルト接着剤で固着してなる請求項１，２又は３記載の使い捨て清拭用物品。
【請求項５】
脱脂綿と透液性シートを、一定間隔を空けて透液性シートに塗布した複数のホットメルト接着剤で相互に固着してなる請求項１，２，３又は４記載の使い捨て清拭用物品。
【請求項６】
脱脂綿と透液性シートを、透液性シートの略全面に塗布したホットメルト接着剤で相互に固着してなる請求項１，２，３又は４記載の使い捨て清拭用物品。
【請求項７】
脱脂綿と透液性シートをホットメルト接着剤で相互に固着することにより、脱脂綿と透液性シートが清拭用物品として一体として作用する請求項１，２，３，４，５又は６記載の使い捨て清拭用物品。
【請求項８】
坪量１００ｇ／ｍ２〜２００ｇ／ｍ２の脱脂綿を使用した請求項１，２，３，４，５，６又は７記載の使い捨て清拭用物品。
【請求項９】
脱脂綿の厚さを３ｍｍ〜８ｍｍとした請求項１，２，３，４，５，６，７又は８記載の使い捨て清拭用物品。
【請求項１０】
透液性シートとして、７０〜８０重量％のレーヨンと、３０〜２０重量％のポリエチレン及びポリプロピレンを原料とする不織布を使用した請求項１，２，３，４，５，６，７，８又は９記載の使い捨て清拭用物品。
【請求項１１】
透液性シートとして、坪量２５ｇ／ｍ２〜３０ｇ／ｍ２の不織布を使用した請求項１０記載の使い捨て清拭用物品。
【考案の詳細な説明】
【技術分野】
【０００１】
本考案は、湿潤状態及び乾燥状態の双方において、使い勝手や肌触りがよく、多用途に使用することのできる使い捨て清拭用物品に関する。
【背景技術】
【０００２】
傷病者，老人等の要介護者の人体の清拭や、おしぼり，タオルとして人体各部（顔，手，指etc）の清拭、布巾としてのキッチン，食卓周りにおける清拭、更にはウエス，雑巾としての各種物品の清拭等の多様な清拭用物品が使用されている。例えば、要介護者の人体の清拭において、布製タオルやガーゼが一般に広く使用されており、使用後は洗濯・殺菌することにより、繰り返して使用されている。
【０００３】
一方、近時は布製タオルに代えて、使い捨ての清拭用物品として、布製タオルと同等の強度を有する不織布からなり、所定幅に形成した帯状の不織布の幅方向に所定間隔にミシン目を形成した不織布製の帯状の清拭布も提供されている（特許文献１）。また、清拭用物品にクッション性を付与するために、不織布の外面シートと防水性を有する内面シートおよび前記外面シートと内面シートとの間に挟まれたクッション層とを有する積層体で形成された袋体形状の清拭用物品も提供されている（特許文献２）。
【先行技術文献】
【特許文献】
【０００４】
【特許文献１】特開平８−１４０８８６号公報
【特許文献２】特開２００３−５２５６９号公報
【考案の開示】
【考案が解決しようとする課題】
【０００５】
布製タオルには布表面にループ糸を有するパイル布地が多く使用されており、このパイル生地からなる布製タオルは清拭用物品として、保液性や吸液性が高く、一定の厚さがあって、使い勝手や肌触りに優れている。また、ガーゼも清拭タオルと同様の目的で使用されているが、ガーゼには布製タオル程の厚みがないため、使い勝手や肌触りがよいとはいえない。
【０００６】
これらの布製タオルやガーゼは繰り返して再使用することを前提としている。使用後は洗濯・殺菌する必要があり、その手間が煩雑であるとともに、殺菌や消毒が不十分である場合は新たな感染源となるおそれもある。そのため、感染防止や衛生面等の安全性の観点からも清拭用物品の再使用は好ましくない。
【０００７】
一方、特許文献１に示す不織布製の清拭用物品は、使い捨てであるため安全ではあるが、厚みがなく、柔らかさやボリューム感がないため、使い勝手や肌触りがよくなく、保液性や吸液性にも劣っている。また、不織布製の清拭用物品にクッション性を付与するために、特許文献２に示す袋体形状の清拭用物品も提供されているが、開口部に手を入れて使用するために防水性の内面シートを有しているため、構成が複雑であり、かえって使い勝手が悪い。
【０００８】
不織布に保液性や吸液性を付与するとともに肌触りをよくするためには、より薄くしたり、薄い不織布を積層することが考えられるが、現状では不織布の薄さは坪量２８ｇ／ｍ２〜３０ｇ／ｍ２程度が限界である。一方、ボリューム感を出すために坪量を多くして不織布を厚くすれば、ゴワゴワ感が生じて硬くなってしまう。しかも坪量を多くするとしても坪量１００ｇ／ｍ２程度が限界である。そこで、不織布を使用して、柔らかさや肌触りのよさ、或いはボリューム感を実現するには、現在最も薄い坪量２８ｇ／ｍ２〜３０ｇ／ｍ２程度の不織布を折り畳んだり、積層して使う必要があり、介護の現場で煩雑な作業となり、又コスト高ともなるので、実用性がない。
【０００９】
そこで、考案者は肌に優しくボリューム感があり、保液性や吸液性に優れた天然素材について種々の試行錯誤を積み重ねた結果、脱脂綿に着目した。脱脂綿は、原綿（raw cotton）から異物を除去・脱脂・漂白（精練漂白工程）を行うことで脱脂漂白された綿（bleached cotton）である。脱脂綿は極短繊維であるため、保液性や吸液性に優れ、吸収速度も早いとともに、肌触りもよくボリューム感があって清拭用物品としての適性を有している。しかしながら、毛羽立ちが多く、湿潤状態で体を拭いた場合に、極短繊維の繊維が脱落して肌に残ったり、ほつれ、めくれ等の抜け落ちがあり、そのままでは清拭用物品としては問題があり、不完全である。
【００１０】
ところで、要介護者等の人体の清拭に使用する清拭用物品は、単に汚れを落とせばいいというものではない。単に肌を濡らして薄い不織布で拭き上げただけでは、何か物足りず、満足感を得ることができない。即ち、清拭をすることによって拭いたらしさ、清拭による使用後の気持ちよさの余韻が残ることが肝要である。そのため、清拭用物品としては、ボリューム感や肌触りがよいとともに、保液性や吸液性に優れているとともに、湿潤状態及び乾燥状態の双方において使い勝手がよいことが求められている。
【００１１】
そこで、出願人はこれらの課題を解決し、清拭用物品として不織布と脱脂綿の持つ双方の利点を活かすとともに、清拭用物品として不織布と脱脂綿の有する双方の欠点を相互に補うことによって、湿潤状態及び乾燥状態の双方において、使い勝手や肌触りがよく、多用途に使用することのできる使い捨て清拭用物品を提供することを目的とする。
【課題を解決するための手段】
【００１２】
本考案は、上記課題を解決するために、所定の厚さを有するシート状の脱脂綿を不織布製の透液性シートで巻装し、その開放端部を固着するとともに、脱脂綿と透液性シートをホットメルト接着剤で相互に固着してなる使い捨て清拭用物品を基本として提供する。そして、脱脂綿を巻装した透液性シートの重合部及び両端部を固着する。また、脱脂綿を巻装した透液性シートの重合部を固着するとともに、透液性シートの両端部に脱脂綿を介在させ、両端部における脱脂綿と透液性シートをホットメルト接着剤で相互に固着する。
【００１３】
更に、脱脂綿の上下両面と透液性シートをホットメルト接着剤で固着する。より具体的には、脱脂綿と透液性シートを、一定間隔を空けて透液性シートに塗布した複数のホットメルト接着剤で相互に固着し、又脱脂綿と透液性シートを、透液性シートの略全面に塗布したホットメルト接着剤で相互に固着する。そして、脱脂綿と透液性シートをホットメルト接着剤で相互に固着することにより、脱脂綿と透液性シートが清拭用物品として一体として作用する。
【００１４】
更に、坪量１００ｇ／ｍ２〜２００ｇ／ｍ２の脱脂綿を使用し、脱脂綿の厚さを３ｍｍ〜８ｍｍとし、透液性シートとして、７０〜８０重量％のレーヨンと、３０〜２０重量％のポリエチレン及びポリプロピレンを原料とする不織布を使用し、透液性シートとして、坪量２５ｇ／ｍ２〜３０ｇ／ｍ２の不織布を使用する。
【考案の効果】
【００１５】
本考案によれば、脱脂綿を不織布製の透液性シートで巻装しているため、脱脂綿によってボリューム感や、優れた保液性や吸液性を実現することができ、一方、不織布によって極短繊維の脱脂綿の毛羽立ちや、ほつれ、めくれ等の抜け落ちを防ぐことができる。しかも、不織布と脱脂綿をホットメルト接着剤によって一体に固着しているため、使用時に両者がずれたり、分離することがなく、一体不可分の清拭用物品として、湿潤状態及び乾燥状態の双方において、使い勝手や肌触りがよく、多用途に使用することができる。
【００１６】
また、安価な不織布と脱脂綿から構成されているため、使い捨て清拭用物品とすることができ、再使用のための洗濯・殺菌をする必要がなく、介護者の負担を軽減するとともに、感染防止や衛生面等の安全性も高い。更に、傷病者，老人等の要介護者の人体の清拭だけでなく、おしぼり，タオルとして人体各部（顔，手，指etc）の清拭、布巾としてのキッチン，食卓周りにおける清拭、更にはウエス，雑巾としての各種物品の清拭等の多用途に使用することができる。
【図面の簡単な説明】
【００１７】
【図１】本考案にかかる使い捨て清拭用物品の全体斜視図。
【図２】図１のＡ−Ａ断面図。
【図３】図１のＢ−Ｂ断面図。
【図４】使い捨て清拭用物品の第１実施例の構造を示す展開図。
【図５】使い捨て清拭用物品の第２実施例の構造を示す展開図。
【図６】使い捨て清拭用物品の第３実施例の構造を示す展開図。
【図７】使い捨て清拭用物品の第４実施例の構造を示す展開図。
【図８】使い捨て清拭用物品の第５実施例の構造を示す展開図。
【図９】使い捨て清拭用物品の第６実施例の構造を示す展開図。
【図１０】使い捨て清拭用物品の第７実施例の構造を示す展開図。
【図１１】使い捨て清拭用物品の第８実施例の構造を示す展開図。
【考案を実施するための形態】
【００１８】
以下図面に基づいて本考案にかかる使い捨て清拭用物品の実施形態を説明する。図１は本考案にかかる使い捨て清拭用物品１の全体斜視図、図２は図１のＡ−Ａ断面図、図３は図１のＢ−Ｂ断面図、図４はその第１実施例の構造を示す展開図である。使い捨て清拭用物品１は、所定の厚さを有するシート状の脱脂綿３を不織布製の透液性シート２で巻装し、透液性シート２の開放端部を固着するとともに、脱脂綿３と透液性シート２を、透液性シート２に塗布したホットメルト接着剤４で相互に固着して構成されている。
【００１９】
透液性シート２は、ポリエチレン，ポリプロピレン，ポリエチレンテレフタレート，レーヨン，コットン等からなる透液性や吸水性を有する不織布から構成され、水や薬液或いは清拭する体液等を吸収して透過させる。透液性シートの具体的な素材や厚さ、密度等は使用用途に応じて任意に設定することができる。本実施形態では透液性シート２として、７０〜８０重量％のレーヨンと、３０〜２０重量％のポリエチレン及びポリプロピレンを原料とする坪量２５ｇ／ｍ２〜３０ｇ／ｍ２の不織布を使用した。
【００２０】
脱脂綿３は、保液体や吸液体として作用するものであり、原綿（raw cotton）から異物を除去・脱脂・漂白（精練漂白工程）を行うことで脱脂漂白された綿（bleached cotton）である。この脱脂綿３は極短繊維であるため、保液性や吸液性に優れ、吸収速度も早いとともに、肌触りもよくボリューム感があり、しかも拭き取り性能も高いため、使い捨て清拭用物品１の素材として最適である。脱脂綿３の厚さ、密度等は使用用途に応じて任意に設定することができる。本実施形態では脱脂綿３として、坪量１００ｇ／ｍ２〜２００ｇ／ｍ２の脱脂綿を厚さ３ｍｍ〜８ｍｍに成形して使用した。
【００２１】
この透液性シート２で脱脂綿３を巻装し、ホットメルト接着剤４で相互に固着する使い捨て清拭用物品１の第１実施例の構造について、図２〜図４に基づき説明する。先ず、透液性シート２を所定サイズ（例えば横寸法Ｗ：３８５ｍｍ×縦寸法Ｈ：２０５ｍｍのシート状に成形し、図４に示すようにホットメルト接着剤４を縦方向に一定の等間隔を空けて、横方向に連続して塗布する。なお、透液性シート２の横方向における左右両端部には、右端部を重合部２ｃに、又左端部を重合部２ｄとするためホットメルト接着剤４を塗布しない。同様に縦方向における双方の端部２ａ，２ｂにもホットメルト接着剤４を塗布しない。なお、重合部２ｃ，２ｄの横寸法は１２．５ｍｍ程度、端部２ａ，２ｂの縦寸法も１２．５ｍｍ程度が適当である。
【００２２】
図示例では、ホットメルト接着剤４は縦方向に一定の等間隔で横方向に連続した直線状に５ｍｍの塗布幅で５本塗布したが、その本数に限定はなく、又、連続して塗布することなく、間欠的に任意の箇所に塗布してもよい。また、塗布するホットメルト接着剤４の塗布幅にも限定はなく、図示例のように５ｍｍの塗布幅、或いは５ｍｍ以上の幅広の塗布幅で塗布してもよい。更には、１ｍｍ程度の幅狭の塗布幅のホットメルト接着剤４を一定の間隔、例えば１０ｍｍ程度の間隔で多数塗布するようにしてもよい。要すれば、脱脂綿３と透液性シート２を一体として固着できればよい。使用するホットメルト接着剤４としては、熱可塑性ゴム系ホットメルトやポリオレフィン系ホットメルトが適当である。熱可塑性ゴム系ホットメルトは柔らかく、透液性シート２や脱脂綿３の風合いを損なうこともなく両者を一体化できるとともに、多孔質素材である透液性シート２や脱脂綿３への浸透が少ないため、使い捨て清拭用物品１に使用するのに適している。また、ポリオレフィン系ホットメルトは多孔質素材への浸透性が高いため、透液性シート２と脱脂綿３をより強固に固着することが可能である。
【００２３】
次に、このホットメルト接着剤４を塗布した透液性シート２上に、所定厚さ（例えば３ｍｍ〜８ｍｍ）のシート状（例えば横寸法Ｗ１：１８０ｍｍ×縦寸法Ｈ１：１８０ｍｍ）に成形した脱脂綿３を図４に示すように載置し、先ず脱脂綿３を載置した部分以外の透液性シート２の内、重合部２ｄ側の透液性シート２を脱脂綿３を巻装するように脱脂綿３上に折り返し、次に重合部２ｃ側の透液性シート２を脱脂綿３を巻装するように脱脂綿３上に折り返し、重合部２ｃを、重合部２ｄに重ね合わせる。これにより重合部２ｃと重合部２ｄが脱脂綿３上で相互に重なり合って脱脂綿３の全面が透液性シート２で被覆される。同時に透液性シート２に塗布したホットメルト接着剤４によって、脱脂綿３の上下両面がホットメルト接着剤４にて透液性シート２と固着されることとなる。
【００２４】
また、透液性シート２における縦方向の双方の端部２ａ，２ｂもそれぞれ重ね合わされることとなり、脱脂綿３の全周が透液性シート２で巻装される。次にこの脱脂綿３を巻装する透液性シートの開放端部となる端部２ａ，２ｂ及び重合部２ｃ，２ｄをヒートシールによって固着する。即ち、脱脂綿３は透液性シート２によって三方シールのピロータイプ包装されるとともに、透液性シート２の内面と脱脂綿３の上下両面が複数のホットメルト接着剤４によって固着されることとなり、脱脂綿３を透液性シート２で巻装するとともに、脱脂綿３と透液性シート２を一体として固着した使い捨て清拭用物品１を得ることができる。完成した使い捨て清拭用物品１は坪量１２５ｇ／ｍ２〜２３０ｇ／ｍ２、厚さ４ｍｍ〜９ｍｍ程度が適当である。なお、透液性シート２の両端部２ａ，２ｂをヒートシールで固着することに代えて、両端部２ａ，２ｂにも脱脂綿３を介在させるように延長して配置し、両端部２ａ，２ｂにおける脱脂綿３と透液性シート２をホットメルト接着剤４で相互に固着するようにしてもよい。
【００２５】
次に、使い捨て清拭用物品１の第２実施例〜第８実施例の構造を図５〜図１１に基づいて説明する。この第２実施例〜第８実施例は、第１実施例におけるホットメルト接着剤４の塗布方法を変更したものであり、その他の構成は第１実施例と同様であるので、その説明を省略する。図５に示す第２実施例では、透液性シート２に対してホットメルト接着剤４ａを縦方向に一定の等間隔を空けるとともに、横方向における脱脂綿３の近傍において空白部５を介在させて横方向に塗布している。
【００２６】
図６に示す第３実施例では、透液性シート２に対してホットメルト接着剤４ｂを横方向に一定の等間隔を空けるとともに、縦方向に連続した直線状に８本塗布した例である。図７に示す第４実施例では、透液性シート２に対してホットメルト接着剤４ｃを横方向に一定の等間隔を空けるとともに、縦方向において空白部５を介在させて縦方向に塗布している。
【００２７】
図８に示す第５実施例では、透液性シート２の略全面にホットメルト接着剤４ｄを塗布した例である。図示例では、透液性シート２と脱脂綿３との間に空白部５を形成するように塗布しているが、連続して透液性シート２の略全面に塗布するようにしてもよい。
【００２８】
図９に示す第６実施例では、透液性シート２の略全面に両端部２ａ，２ｂに至るまでホットメルト接着剤４ｅを塗布した例である。図示例では、透液性シート２と脱脂綿３との間に空白部５を形成するように塗布しているが、連続して透液性シート２の略全面に塗布するようにしてもよい。
【００２９】
図１０に示す第７実施例では、透液性シート２の略全面に１ｍｍ程度の幅狭の塗布幅でホットメルト接着剤４ｆを一定の間隔、図示例では１０ｍｍ程度の間隔で多数塗布した例である。
【００３０】
図１１に示す第８実施例では、透液性シート２の略全面に両端部２ａ，２ｂに至るまで１ｍｍ程度の幅狭の塗布幅でホットメルト接着剤４ｇを一定の間隔、図示例では１０ｍｍ程度の間隔で多数塗布した例である。
【００３１】
使い捨て清拭用物品１のサイズは具体的用途に応じて適当な寸法を選択すればよい。一般的な清拭用タオルとしては、横１８０ｍｍ〜２００ｍｍ×縦２０５ｍｍ〜４００ｍｍ程度が適当である。ただ、そのサイズに限定はなく、上記以外のサイズであっても適用することが可能である。例えば、おしぼりとしては幅１５０ｍｍ×縦２５０ｍｍ程度、赤ちゃん用としては幅８０ｍｍ×縦１５０ｍｍ程度が適当である。得られた使い捨て清拭用物品１の用途としては、傷病者，老人等の要介護者の人体の清拭用途、おしぼり，タオルとして人体各部（顔，手，指etc）の清拭用途、布巾としてのキッチン，食卓周りにおける清拭用途、ウエス，雑巾としての用途等々多用途に使用することができる。また、使用に際してはドライ状態であっても、水や湯，薬液を含浸させたウェット状態のいずれの状態においても使用することができる。
【産業上の利用可能性】
【００３２】
本考案によれば、脱脂綿を不織布製の透液性シートで巻装しているため、脱脂綿によってボリューム感や、優れた保液性や吸液性を実現することができ、一方、不織布によって極短繊維の脱脂綿の毛羽立ちや、ほつれ、めくれ等の抜け落ちを防ぐことができる。しかも、不織布と脱脂綿をホットメルト接着剤によって一体に固着しているため、使用時に両者がずれたり、分離することがなく、一体不可分の清拭用物品として、湿潤状態及び乾燥状態の双方において、使い勝手や肌触りがよく、多用途に使用することができる。
【００３３】
また、安価な不織布と脱脂綿から構成されているため、使い捨て清拭用物品とすることができ、再使用のための洗濯・殺菌をする必要がなく、介護者の負担を軽減するとともに、感染防止や衛生面等の安全性も高い。更に、傷病者，老人等の要介護者の人体の清拭だけでなく、おしぼり，タオルとして人体各部（顔，手，指etc）の清拭、布巾としてのキッチン，食卓周りにおける清拭、更にはウエス，雑巾としての各種物品の清拭等の多用途に使用することができる。
【符号の説明】
【００３４】
１…使い捨て清拭用物品
２…透液性シート
２ａ，２ｂ…端部
２ｃ，２ｄ…重合部
３…脱脂綿
４，４ａ，４ｂ，４ｃ，４ｄ，４ｅ，４ｆ，４ｇ…ホットメルト接着剤
５…空白部
【図１】
0003166046.tif 000003
【図２】
0003166046.tif 000004
【図３】
0003166046.tif 000005
【図４】
0003166046.tif 000006
【図５】
0003166046.tif 000007
【図６】
0003166046.tif 000008
【図７】
0003166046.tif 000009
【図８】
0003166046.tif 000010
【図９】
0003166046.tif 000011
【図１０】
0003166046.tif 000012
【図１１】
0003166046.tif 000013